(57)【要約】【課題】透水性、保水性及び排水性に優れる舗装パネル及び舗装パネルの敷設方法を提供する。【解決手段】ゴムチップ材４と小石５とからなる骨材をバインダにより結合して形成された透水性の表層２と、表層２の下面に結合され、互いに離間して対向する合成樹脂よりなる上下２枚のメッシュ状基材７ａ、７ｂ同士を、張りのある無数の合成樹脂製の連結糸８により連結して形成された透水性及び保水性を有する下層シート３とを備える舗装パネル１とする。【選択図】図２
2019143434.tif 000002
【特許請求の範囲】
【請求項１】
骨材をバインダにより結合して形成された透水性の表層と、
前記表層の下面に結合され、互いに離間して対向する合成樹脂よりなる上下２枚のメッシュ状基材同士を、張りのある無数の合成樹脂製の連結糸により連結して形成された透水性及び保水性を有する下層シートと、
を備えることを特徴とする舗装パネル。
【請求項２】
前記骨材は、ゴムチップ材と天然小石または砕石との混合物であることを特徴とする請求項１記載の舗装パネル。
【請求項３】
前記下層シートは、立体ハニカム構造に形成されていることを特徴とする請求項１または２に記載の舗装パネル。
【請求項４】
前記バインダは、ポリウレタン系樹脂であることを特徴とする請求項１ないし３のいずれかに記載の舗装パネル。
【請求項５】
前記表層の下面を、凹凸面としたことを特徴とする請求項１ないし４のいずれかに記載の舗装パネル。
【請求項６】
下地基盤層の表面に、互いに離間して対向する合成樹脂よりなる上下２枚のメッシュ状基材同士を、張りのある無数の合成樹脂製の連結糸により連結して形成された透水性及び保水性を有する下層シートを敷設する工程と、
骨材をバインダにより結合して形成された透水性の表層を、前記下層シートの上面に結合させるようにして敷設する工程と、
を備えることを特徴とする舗装パネルの敷設方法。
【発明の詳細な説明】
【技術分野】
【０００１】
本発明は、例えば歩道や陸上競技場、テニスコート、屋外運動場等に敷設される、透水性、保水性及び排水性に優れた舗装パネル及び舗装パネルの敷設方法に関する。
【背景技術】
【０００２】
近年、歩道等の路面に水たまりができにくいようにするために、透水性舗装が施工されることが多くなってきている。この透水性舗装には、粗骨材、細骨材、フィラー及びアスファルト等からなる、空隙を有する開粒度アスファルトを使用して施工されるのが一般的である(例えば特許文献１参照)。
【０００３】
また、例えば特許文献２に記載されているように、陸上競技場、テニスコート、屋外運動場等の舗装を、弾力性及び透水性を備える弾性舗装構造体を用いて施工したものもある。この弾性舗装構造体は、ゴム等の弾性体粒子同士を、空隙が形成されるようにバインダで結合して構成されている。
【先行技術文献】
【特許文献】
【０００４】
【特許文献１】特開２００９−１０８４８３号公報
【特許文献２】特開平８−１０９６０３号公報
【発明の概要】
【発明が解決しようとする課題】
【０００５】
上記特許文献１に記載の開粒度アスファルトは、それ自体では十分な保水性を有していないため、降水量が多い場合には、水はけが悪くなるおそれがある。
【０００６】
また、陸上競技場等の舗装に使用される特許文献２に記載の弾性舗装構造体においては、下層の弾性体粒子の粒径を上層の弾性体粒子よりも大として、下層の空隙を大きくしているので、開粒度アスファルトに比べて透水性及び保水性は高い。
【０００７】
しかしながら、下層の弾性体粒子間に形成される全ての空隙同士が必ずしも連通しているとは限らないので、下層の空隙に保水された水の排水性に難があり、降水量が多い場合には上層表面の水はけが悪くなるおそれがある。
【０００８】
本発明は、このような問題点に着目してなされたもので、透水性、保水性及び排水性に優れる舗装パネル及び舗装パネルの敷設方法を提供することを目的としている。
【課題を解決するための手段】
【０００９】
上記課題を解決するために、本発明の舗装パネルは、
骨材をバインダにより結合して形成された透水性の表層と、前記表層の下面に結合され、互いに離間して対向する合成樹脂よりなる上下２枚のメッシュ状基材同士を、張りのある無数の合成樹脂製の連結糸により連結して形成された透水性及び保水性を有する下層シートとを備えることを特徴としている。
この特徴によれば、透水性の表層の下面に結合された透水性及び保水性を有する下層シートの内部には、大きな保水空間が形成されるので、表層を透過した雨水を大量に貯留することができる。また、下層シートの内部に貯留された水は、多数の連結糸間を通過して多方向に容易に流動することができるので、優れた排水性を有し、降水量が多くても、表層の表面の水はけが良好となり、水たまりができにくくなる。
【００１０】
前記骨材は、ゴムチップ材と天然小石または砕石との混合物であることを特徴としている。
この特徴によれば、表層は、適度の弾力性と硬さ及び摩擦力を有するようになるので、陸上競技場やテニスコート等に敷設する舗装パネルに適している。
【００１１】
前記下層シートは、立体ハニカム構造に形成されていることを特徴としている。
この特徴によれば、表層を透過した雨水を、下層シートの内部に速やかに流入させることができるとともに、下層シートの内部に形成される保水空間も広くなる。
【００１２】
前記バインダは、ポリウレタン系樹脂であることを特徴としている。
この特徴によれば、表層の骨材同士を適度の弾性力を保持した状態で結合することができる。
【００１３】
前記表層の下面を、凹凸面としたことを特徴としている。
この特徴によれば、表層の下面と上部のメッシュ状基材との結合面の摩擦力が大となり、表層に対し下層シートのずれを防止して結合することができる。
【００１４】
上記課題を解決するために、本発明の舗装パネルの敷設方法は、
下地基盤層の表面に、互いに離間して対向する合成樹脂よりなる上下２枚のメッシュ状基材同士を、張りのある無数の合成樹脂製の連結糸により連結して形成された透水性及び保水性を有する下層シートを敷設する工程と、
骨材をバインダにより結合して形成された透水性の表層を、前記下層シートの上面に結合させるようにして敷設する工程と、
を備えることを特徴としている。
この特徴によれば、透水性の表層の下面に結合された透水性及び保水性を有する下層シートの内部には、大きな保水空間が形成されるので、表層を透過した雨水を大量に貯留することができる。また、下層シートの内部に貯留された水は、多数の連結糸間を通過して多方向に容易に流動することができるので、優れた排水性を有し、降水量が多くても、表層の表面の水はけが良好となり、水たまりができにくくなる。
【図面の簡単な説明】
【００１５】
【図１】本発明に係る舗装パネルの実施例である表層と下層シートの結合前の斜視図である。
【図２】同じく、表層と下層シートとを結合した状態の側面図である。
【図３】本発明の舗装パネルの施工例を示す断面図である。
【図４】本発明の舗装パネルを人工芝仕様として敷設した施工例を示す断面図である。
【発明を実施するための形態】
【００１６】
本発明に係る舗装パネル及び舗装パネルの敷設方法を実施するための形態を実施例に基づいて以下に説明する。
【実施例】
【００１７】
図１及び図２は、本発明に係る舗装パネル及び舗装パネルの敷設方法の実施例を示すもので、舗装パネル１は、複数種類の骨材をバインダにより結合して形成された、適度の弾力性と硬さを有する透水性の表層２と、その下面に結合された、立体ハニカム構造をなす透水性及び保水性を有する下層シート３とからなっている。
【００１８】
舗装パネル１は、例えば所定寸法の正方形または長方形に形成されて、歩道や陸上競技場、テニスコート、屋外運動場等の下地基盤層の表面に並べて敷設される。
【００１９】
表層２を形成する骨材には、形状及び大きさが不定形の多数のゴムチップ材４と、粒子の大きさが異なる天然の多数の小石５との混合物からなり、それらを、多数の空隙が形成されるようにバインダ(図示省略)により結合して形成されている。この実施例では、表層２の厚さを例えば１５ｍｍとしてある。
【００２０】
ゴムチップ材４としては、例えば耐候性や耐摩耗性に優れるポリウレタンゴム、エチレン−プロピレンゴム等の小片や、廃タイヤ等のやや硬質の加硫ゴムを粉砕機によって粉砕したものが使用される。なお、天然の小石５の代わりに、岩石を細かく破砕した砕石や天然の砂利等を使用することもできる。
【００２１】
下層シート３は、合成樹脂繊維により編成された所定幅の線条６を、平面視概ね六角形の連続した亀甲模様の編目パターンとなるように接続して形成された、互いに離間して対向する上下２枚のメッシュ状基材７ａ，７ｂと、上下のメッシュ状基材７ａ，７ｂの線条６，６同士を連結する合成樹脂繊維よりなる上下方向の無数の細い連結糸８とにより形成されている。この実施例では、下層シート３の厚さを例えば１０ｍｍとしてある。線条６の編目のパターンや大きさは、舗装パネル１の敷設場所によって自由に設定することができる。
【００２２】
上下のメッシュ状基材７ａ，７ｂは、亀甲模様が上下に整合するように対向させるか、亀甲模様を半ピッチ程度ずらして対向させてあり、上下のメッシュ状基材７ａ，７ｂのハニカム状の多数の空隙９が、上下に連通するようにしてある。
【００２３】
上記線条６は、例えばポリエステル繊維を用いて編成されている。また、上記連結糸８には、例えば線径が０．０５ｍｍ〜０．２ｍｍ程度の張りと弾性復元力を備える合成繊維、例えばナイロン繊維等を使用するのが好ましいが、線条６と同じポリエステル繊維を用いることもできる。
【００２４】
連結糸８は、垂直方向、斜め方向、または斜めに交差するようにして、上下に対向する線条６に結び付けられている。このように、上下に対向する２枚のメッシュ状基材７ａ，７ｂの線条６，６同士を、張りと弾性復元力を備える無数の連結糸８によって連結することにより、下層シート３は、表層２からの荷重に対し比較的高い反発力を有するとともに、表層２から強い荷重が加わると弾性的に若干圧縮されるようになっている。
【００２５】
上記骨材のバインダとしては、例えばポリウレタン系樹脂よりなる接着剤を用いるのが好ましい。このようなポリウレタン系樹脂よりなる接着剤を用いると、ゴムチップ材４と小石５は、弾性力を保持して結合され、適度の弾力性を有する表層２とすることができる。また、弾性力をそれほど必要としない場合には、エポキシ樹脂液やアクリル樹脂エマルジョン等のバインダを使用することもできる。
【００２６】
表層２の下面に下層シート３を圧着させ、上記合成樹脂よりなるバインダを固化させると、バインダによって、表層２の下面に下層シート３の上部のメッシュ状基材７ａが強固に結合される。また、表層２の下面には、不定形のゴムチップ材４と粒子の大きさの異なる小石５との結合によって、必然的に凹凸面が形成されるので、表層２の下面と上部のメッシュ状基材７ａとの結合面の摩擦力が大となり、表層２に対し下層シート３のずれを防止して結合することができる。
【００２７】
以上説明したように、上記実施例の舗装パネル１は、透水性の表層２の下面に、互いに離間して対向する上下のメッシュ状基材７ａ，７ｂの線条６，６同士を、合成樹脂繊維よりなる無数の連結糸８により連結した立体ハニカム状の下層シート３を結合して構成されているので、表層２を透過した雨水は、上部のメッシュ状基材７ａに形成された多数の、かつ大きな空隙９を通して、下層シート３の内部に速やかに流入する。
【００２８】
また、下層シート３の内部には、広い保水空間Ｓが形成されるとともに、保水空間Ｓ内に貯留された水は、多数の連結糸８間を通過して多方向に容易に流動することができるので、優れた排水性を有する。従って、降水量が多くても、表層２の表面の水はけが良好となり、水たまりができにくくなる。
【００２９】
さらに、表層２を形成する骨材は、ゴムチップ材４と小石５との混合物よりなっているので、適度の弾力性と硬さ及び摩擦力を有する表層２となり、陸上競技場やテニスコート等に適した舗装パネル１とすることができる。
【００３０】
図３は、上記実施例の舗装パネル１を、例えば屋外の運動場等に敷設した施工例である。この施工例では、まず締め固められた路床土１０の上面に、例えば厚さが１００ｍｍ程度の基盤層１１を施工した後、この基盤層１１の表面に舗装パネル１を敷設する。
【００３１】
基盤層１１の施工には、例えば岩石やコンクリート廃材等を破砕した不定形の砕石が用いられ、施工後の基盤層１１は、透水性及び保水性を備えている。
【００３２】
このようにして、上記実施例の舗装パネル１を運動場等に敷設すると、下層シート３の内部の保水空間Ｓに貯留された水は、上述したように、多方向に流動して排水されるとともに、下部のメッシュ状基材７ｂに形成された多数の空隙９を介して、基盤層１１にも浸透して保水される。これにより、舗装パネル１が敷設された運動場等の表面の水はけがよくなる。なお、下層シート３の排水性を向上させるために、下層シート３の周端部の基盤層１１に排水溝１２を埋設し、下層シート３の内部に貯留された水を、その端部から排水溝１２に排水するようにしてもよい。
【００３３】
図４は、上記実施例の舗装パネル１を人工芝仕様として、例えばサッカー場等の球技場に敷設した施工例である。この施工例では、上記と同様に、路床土１０の上面に基盤層１１を施工し、この基盤層１１の表面に舗装パネル１を敷設した後、舗装パネル１の表面に、基布１３にパイル１４を植設して形成された人工芝１５を敷設する。なお、パイル長の長い人工芝を敷設する場合には、基布１３の表面に充填砂１６を散布するのが好ましい。人工芝１５の基布１３は表層２の凹凸に噛み込んで、摩擦力が高く安定して敷設される。
【００３４】
このように、舗装パネル１を人工芝仕様として、サッカー場等の球技場に敷設すると、降水量が多い場合でも、人工芝１５の排水性を向上させることができる。なお、この人工芝仕様においても、基盤層１１に排水溝１２を埋設すれば、人工芝１５の排水性をより向上させることができる。
【００３５】
なお、図示は省略するが、舗装パネル１を歩道等に施工する際は、路床土の上面に、透水性を有する開粒度アスファルトを打設して基盤層（下地基盤層）を形成し、この基盤層の表面に舗装パネル１を敷設すればよい。これにより、歩道等の路面の水はけを向上させることができる。
【００３６】
以上、本発明の舗装パネルを実施例に基づいて説明したが、本発明の要旨を逸脱しない範囲内で、次のような種々の変形や変更があっても、本発明に含まれる。
【００３７】
上記実施例では、表層２を構成する骨材に、ゴムチップ材４と小石５との混合物を用いているが、舗装面の摩擦力及び弾力性を高めたい場合には、硬質のゴムチップ材のみの骨材を用いることもある。
【００３８】
また、透水性を有する開粒度アスファルトにより表層２を形成し、その下面に下層シート３を結合することもある。要するに、表層２が透水性を有するものであれば、それに使用される骨材の種類は特に限定されない。
【００３９】
また、舗装パネル１は、所定寸法の正方形または長方形に形成される構成に限らず、例えば所定の幅を有する帯状に形成され、ロール状に丸めて保管・運搬される構成としてもよい。
【００４０】
また、舗装パネル１は、透水性の表層２と下層シート３とを別々に現場に搬入し、これらを現場施工で敷設するようにしてもよく、この場合、基盤層の表面に下層シート３を敷設した後に、この下層シート３の上面に結合させるようにして透水性の表層２を敷設する。
【符号の説明】
【００４１】
１                舗装パネル
２                表層
３                下層シート
４                ゴムチップ材
５                小石
６                線条
７ａ、７ｂ        メッシュ状基材
８                連結糸
９                空隙
１０              路床土
１１              基盤層
１２              排水溝
１３              基布
１４              パイル
１５              人工芝
１６              充填砂
Ｓ                保水空間
【図１】
2019143434.tif 000003
【図２】
2019143434.tif 000004
【図３】
2019143434.tif 000005
【図４】
2019143434.tif 000006